(57)【要約】【課題】鍵のかけ忘れによる盗難が防止できると共に、ユーザにとっての使い易さを向上できる自転車用施錠システム及び自転車を提供する。【解決手段】スタンド１４を跳ね上げ状態から起立状態とするのに伴って、ワイヤ７を牽引して閂８を施錠状態とする牽引機構１８を備えることにより、ユーザが自転車から降りて駐車する際に、スタンド１４を起立状態とする動作と連動させて閂８を施錠状態とする。また、ワイヤ７の緊張を解放する解放機構１８を備えることにより、閂８を牽引することによって緊張したワイヤ７を施錠後に緩める。これによって、キーの差込や番号入力を行った直後に、ワイヤ７に引っ張られることなく閂８を速やかに開錠状態とする。【選択図】図８
2009269470.tif 000002
【特許請求の範囲】
【請求項１】
後輪の回転を阻止する閂を有する錠前と、
ロックレバーが設けられたスタンドと、
一端部が前記閂に連結されたワイヤと、
前記スタンドを所定の方向へ回動させて跳ね上げ状態から起立状態とするのに伴って、前記ワイヤの他端部を牽引することにより前記閂を施錠状態とする牽引機構と、
前記ワイヤの緊張を解放する解放機構と、
を備えることを特徴とする自転車用施錠システム。
【請求項２】
前記解放機構は、前記スタンドの前記起立状態において、前記ロックレバーをロック解除状態からロック状態とするのに伴って、前記ワイヤの緊張を解放することを特徴とする請求項１記載の自転車用施錠システム。
【請求項３】
前記牽引機構及び前記解放機構は、
前記ワイヤの前記他端部に連結された連結部、及び外周部から突出する突起部を有すると共に、前記スタンドの回動軸で軸支され、前記所定の方向へ回動して前記ワイヤを牽引するカムプレートと、
前記所定の方向の反対方向へ向かって、前記カムプレートに弾性力を付与するねじりバネと、
前記ロックレバーに設けられ、前記スタンドを前記跳ね上げ状態から前記起立状態とするまでの間に前記カムプレートの前記突起部に係止すると共に、前記ロックレバーを前記ロック解除状態から前記ロック状態とするのに伴って前記突起部から離間する係止部と、
を有することを特徴とする請求項２記載の自転車用施錠システム。
【請求項４】
請求項１〜３に記載の自転車用施錠システムを備えることを特徴とする自転車。
【発明の詳細な説明】
【技術分野】
【０００１】
本発明は、後輪の回転を阻止する錠前とロックレバーが設けられたスタンドとを備えた自転車用施錠システム及び自転車に関する。
【背景技術】
【０００２】
従来の自転車用施錠システムとして、スタンドロックを備えたスタンドと、スタンドロックとピアノ線を介して連結されると共に鍵が取り付けられた制御板とを備えるものが知られている（例えば、特許文献１参照）。この自転車用施錠システムにおいては、スタンドを掛けると同時にピアノ線で制御板を操作することによって鍵を掛けている。このような発明の構成を更に簡略化し、制御板などの特別な装置を用いることなく自動的に施錠が可能となるシステムを考えた場合、例えば、スタンドと錠前の閂をワイヤで連結し、スタンドを起立状態にするのに伴って、ワイヤで閂を牽引することによって施錠状態とするような自転車用施錠システムが考え出される。
【特許文献１】特開平４−１７３４８７号公報
【発明の開示】
【発明が解決しようとする課題】
【０００３】
しかしながら、単純にスタンドと閂とを連結させただけの上記自転車用施錠システムにあっては、スタンドを起立状態とした後のワイヤは閂を牽引したため、緊張したままの状態が維持される。従って、閂を開錠して自転車に乗るときは、キーを挿入して閂を開錠待機状態（緊張したワイヤに引張られてしまうために、閂が後輪のスポークの間に配置されたままの状態）とした後に、スタンドを起立状態から跳ね上げ状態としてワイヤを上方へ移動させるのに伴って、開錠待機状態となっている閂を開錠状態としなくてはならない。すなわち、キーを挿入してもスタンドを跳ね上げない限りは閂を開錠状態とすることができないため、ユーザはスタンドを跳ね上げてみなくてはキーが完全に差し込まれたかどうかを確認することができないという問題が発生する。従って、キーが完全に差し込まれていなかった場合は、スタンドを跳ね上げたままの不安定な状態でキーの差込作業をやり直さなくてはならず、ユーザにとって非常に不便である。また、番号入力タイプの錠前である場合は、番号を打ち間違えてもスタンドを上げてみなくては誤入力を確認することができず、不安定な状態で番号再入力を行わなくてはならないので、更に不便である。
【０００４】
特に、片脚型のスタンドを有する自転車の場合、駐車した自転車の横に障害物があってスタンドを蹴り上げるためのスペースがないとき、一般的に、ユーザは一度閂を開錠して、スタンドが起立状態となったままで前輪と後輪を転がしながら自転車を移動させ、十分にスペースが確保できる場所でスタンドを蹴り上げる。しかし、上記自転車用施錠システムにあっては、キーの差込や番号入力を行っても、スタンドを跳ね上げない限り閂が開錠しないため、自転車後部を持ち上げて後輪を浮かせた状態で移動させなくてはならず、ユーザにとって非常に不便である。
【０００５】
そこで、本発明は、鍵のかけ忘れによる盗難が防止できると共に、ユーザにとっての使い易さを向上できる自転車用施錠システム及び自転車を提供することを目的とする。
【課題を解決するための手段】
【０００６】
上記目的を達成するために、本発明に係る自転車用施錠システムは、後輪の回転を阻止する閂を有する錠前と、ロックレバーが設けられたスタンドと、一端部が閂に連結されたワイヤと、スタンドを所定の方向へ回動させて跳ね上げ状態から起立状態とするのに伴って、ワイヤの他端部を牽引することにより閂を施錠状態とする牽引機構と、ワイヤの緊張を解放する解放機構と、を備えることを特徴とする。
【０００７】
この自転車用施錠システムでは、スタンドを跳ね上げ状態から起立状態とするのに伴って、ワイヤを牽引して閂を施錠状態とする牽引機構を備えているため、ユーザが自転車から降りて駐車する際に、スタンドを起立状態とする動作と連動させて閂を施錠状態とすることができる。また、ワイヤの緊張を解放する解放機構を備えているため、閂を牽引することによって緊張したワイヤを施錠後に緩めることができる。これによって、キーの差込や番号入力を行った直後に、ワイヤに引っ張られることなく閂を速やかに開錠状態とすることができる。以上によって、鍵のかけ忘れによる盗難が防止できると共に、ユーザにとっての使い易さを向上できる。
【０００８】
また、本発明に係る自転車用施錠システムにおいて、解放機構は、スタンドの起立状態において、ロックレバーをロック解除状態からロック状態とするのに伴って、ワイヤの緊張を解放することが好ましい。これによって、駐車時に、スタンドのロックレバーをロック状態とする動作と連動させてワイヤの緊張を解放することができる。従って、特別な動作を行うことなく、通常の駐車時の動作の中でワイヤの緊張を解放することができるため、ユーザにとっての使い易さを一層向上できる。
【０００９】
また、本発明に係る自転車用施錠システムにおいて、牽引機構及び解放機構は、ワイヤの他端部に連結された連結部、及び外周部から突出する突起部を有すると共に、スタンドの回動軸で軸支され、所定の方向へ回動してワイヤを牽引するカムプレートと、所定の方向の反対方向へ向かって、カムプレートに弾性力を付与するねじりバネと、ロックレバーに設けられ、スタンドを跳ね上げ状態から起立状態とするまでの間にカムプレートの突起部に係止すると共に、ロックレバーをロック解除状態からロック状態とするのに伴って突起部から離間する係止部と、を有することが好ましい。
【００１０】
このような構成によれば、自転車の駐車時において、ユーザがスタンドを跳ね上げ状態から起立状態とする動作に連動させて、ロックレバーの係止部で突起部を押すことにより、カムプレートをスタンドと同方向へ回動させる。この回動により、カムプレートの連結部に連結されたワイヤが牽引され、それに伴ってワイヤの一端側に連結された閂が牽引されて施錠状態となる。スタンドが起立状態となり、ユーザがロック解除状態にあるロックレバーを蹴り込むことによりロック状態とすると、その動作に伴って係止部がカムプレートの突起部から離間する。係止部による支持が解除されたカムプレートは、ねじりバネからの弾性力によって、ワイヤを牽引したときとは反対方向へ回動して初期位置に復帰する。カムプレートが復帰することにより、ワイヤの他端部も初期位置に復帰し、これによってワイヤの緊張が解放される。以上によって、簡単な構成でワイヤの緊張を解放することができる。
【００１１】
本発明に係る自転車は、上述した自転車用施錠システムを備えている。この自転車によれば、鍵のかけ忘れによる盗難が防止できると共に、ユーザにとっての使い易さを向上できる。
【発明の効果】
【００１２】
本発明によれば、鍵のかけ忘れによる盗難が防止できると共に、ユーザにとっての使い易さを向上できる。
【発明を実施するための最良の形態】
【００１３】
以下、本発明の好適な実施形態について、図面を参照して詳細に説明する。なお、本明細書中において、自転車の進行方向を「前方」と定め、「前」「後」等の方向を表す語を用いることとする。
【００１４】
図１に示すように、自転車１は、後部のシートステイ２に取り付けられた馬蹄錠（錠前）３と、後輪の回転軸付近に設けられた片脚型スタンド部６と、馬蹄錠３及び片脚型スタンド部６を連結するワイヤ７とから構成される自転車用施錠システム１０を備えている。なお、この自転車１は、自転車用施錠システム１０を備えていること以外は、一般的な自転車と同様な構成を有している。
【００１５】
図２及び図７に示すように、馬蹄錠３は、施錠時に後輪４のスポーク４ａ間に閂８を配置することによって後輪４の回転を阻止するものである。この馬蹄錠３は、馬蹄形状を有してシートステイ２に固定される中空の錠前本体部９と、錠前本体部９の内部にスライド可能に収容される円弧状の閂８と、番号入力を行うことによって閂８を開錠状態とする番号入力部１１とを備える。
【００１６】
錠前本体部９は、その両端が後輪４を挟んで向かい合うように配置されており、一端側に閂８がスライド可能に収容されている。錠前本体部９の一端側の上面にはその形状に沿って上下方向に延在する円弧状貫通溝部９ａが形成されており、この円弧状貫通溝部９ａを介して摘み部１２が閂８に固定されている。摘み部１２は円弧状貫通溝部９ａに沿って上下方向に移動可能とされており、この移動に伴って閂８を錠前本体部９内でスライドさせることができる。
【００１７】
閂８は、摘み部１２の移動に伴ってスライドし、錠前本体部９の一端から後輪４のスポーク４ａ間を通過して錠前本体部９の他端へ嵌入されてロックされることにより施錠状態となる。また、番号入力部１１に番号が入力された時には、ロックが解除され錠前本体部９内の復元バネ（不図示）に牽引されて初期位置へ復元することにより開錠状態となる。この閂８には、片脚型スタンド部６に連結されるワイヤ７の一端部７ａが、摘み部１２を介して連結されている。
【００１８】
図３〜５に示すように、後輪４の中心軸付近の片脚型スタンド部６は、自転車１のフレームに取り付けられたベース板１３と、ベース板１３に回動可能に支持されたスタンド１４と、スタンド１４をロックするためのロックレバー１６と、ベース板１３とロックレバー１６に支持されてロックレバー１６に弾性力を付与するスプリング１７と、ワイヤ７を介して馬蹄錠３の閂８と連結される自動施錠機構（牽引機構、解放機構）１８とを備えて構成されている。
【００１９】
ベース板１３は、円弧部が下側に配置されるような略扇状の形状を有しており、その上端側がシートステイ２とチェーンステイ５の交差部における後輪４の中心軸と螺合されている。このベース板１３には、略中央位置にスタンド１４の回動軸１９が取り付けられると共に、円弧部の外縁に沿って円弧状に延在するガイド溝２１が下端側に形成される。
【００２０】
スタンド１４は、ベース板１３の回動軸１９で回動可能に軸支される棒状部材であり、駐車時に自転車１を支持するものである。このスタンド１４は、自転車１の運転時には、後方へ向かって略水平に延在する跳ね上げ状態となり、自転車１の駐車時には、図中のＡ方向へ回動することにより、図５の仮想線で示すように、地面へ向かって下方へ延在する起立状態となる。スタンド１４には、ベース板１３のガイド溝２１へ向かって突出するストッパ２２が形成されており、このストッパ２２は、跳ね上げ状態においてガイド溝２１の後方壁部２１ａと当接し、起立状態においてはガイド溝２１の前方壁部２１ｂと当接することによってスタンド１４の回動を規制している。
【００２１】
ロックレバー１６は、スタンド１４のストッパ２２で回動可能に軸支される部材であり、駐車時において、スタンド１４を起立状態とした後に前方に蹴り込むことによって、その起立状態をロックするものである。ロックレバー１６は、スタンド１４が起立状態となっているとき、ロック解除状態においてはスタンド１４の後方へ向かって傾斜し（図６参照）、ロック状態においてはスタンド１４の前方へ向かって傾斜する（図８参照）構成となる。なお、ロックレバー１６の回動はエンドストッパ１６ａ，１６ｂで規制されている。
【００２２】
自動施錠機構１８は、スタンド１４を跳ね上げ状態から起立状態とするのに伴ってワイヤ７を牽引することにより閂８を自動的に施錠状態とする機能を有すると共に、ロックレバー１６をロック解除状態からロック状態とするのに伴ってワイヤ７の緊張を施錠後に自動的に解放する機能を有する。具体的には、この自動施錠機構１８は、ワイヤ７の他端部７ｂと連結されたカムプレート２３と、カムプレート２３に弾性力を付与するねじりバネ２４と、カムプレート２３を回動させるためのロックレバー１６の係止部２６とから構成されている。
【００２３】
カムプレート２３は、ベース板１３とスタンド１４との間に配置され、スタンド１４の回動軸１９により回動可能に軸支される略円形の板状部材である。カムプレート２３の外周には、径方向に突出してその端部がワイヤ７の他端部７ｂと連結される連結部２３ａと、ロックレバー１６の係止部２６と係止するように段差を設けることによって形成される突起部２３ｂとが設けられている。このカムプレート２３は、スタンド１４の跳ね上げ状態において、連結部２３ａが上側位置、突起部２３ｂが後側位置に配置されると共に、スタンド１４の起立状態において、連結部２３ａが後側位置、突起部２３ｂが下側位置に配置されるように構成されている。カムプレート２３をＡ方向へ回動させることにより、その連結部２３ａが上側位置から後側位置へ移動し、これによってワイヤ７が牽引される。
【００２４】
ねじりバネ２４は、ベース板１３とカムプレート２３との間で回動軸１９により支持されており、カムプレート２３にＢ方向へ向かう弾性力を付与するものである。ねじりバネ２４の一端部２４ａはベース板１３の切欠部１３ａに掛止されており、他端部２４ｂはカムプレート２３の連結部２３ａの付根部に掛止されている。
【００２５】
係止部２６は、ロックレバー１６の回動軸を構成するストッパ２２に対してＢ方向側に隣接して設けられている。この係止部２６は、スタンド１４の跳ね上げ状態において、上方から前方へ向かって拡がる支持部２６ａと、支持部２６ａの端部を車幅方向の内側へ屈曲させることにより形成される屈曲部２６ｂとを備えている。この係止部２６の屈曲部２６ｂは、スタンド１４の跳ね上げ状態において、カムプレート２３の外周の後側位置に配置されている突起部２３ｂと下端部で当接し、スタンド１４を跳ね上げ状態から起立状態とするまでの間、突起部２３ｂを押し続けることによってカムプレート２３を回動させる。また、スタンド１４が起立状態となった後（図６参照）に、ロックレバー１６を前方に蹴り込んでロック状態とした場合、ロックレバー１６がストッパ２２回りに回動して前方へ向かって傾斜するのに伴い、係止部２６は、下方へ回動することによってカムプレート２３の突起部２３ｂから離間する（図８参照）。
【００２６】
次に、自転車用施錠システム１０の動作について説明する。
【００２７】
まず、ユーザが駐車位置で自転車１から降りて、スタンド１４をＡ方向に回動させることによって、図３に示すような跳ね上げ状態から、図６に示すような起立状態とすると、ロックレバー１６もスタンド１４の回動に伴って回動軸１９周りにＡ方向に回動する。このとき、ロックレバー１６の係止部２６で突起部２３ｂが押されることによって、カムプレート２３がスタンド１４及びロックレバー１６と同様にＡ方向へ回動する。この回動により、カムプレート２３の連結部２３ａに連結されたワイヤ７が牽引され、それに伴ってワイヤ７の一端部７ａに連結された馬蹄錠３の閂８が牽引されて、図７に示すように、施錠状態となる。このとき、閂８を牽引したワイヤ７は、緊張した状態が維持される。
【００２８】
スタンド１４が起立状態となった後、図６に示すようなロック解除状態にあるロックレバー１６をユーザが蹴り込むことによって、図８に示すようなロック状態とすると、その動作に伴ってロックレバー１６の係止部２６がカムプレート２３の突起部２３ｂから離間する。係止部２６による支持が解除されたカムプレート２３は、ねじりバネ２４からの弾性力によって、Ｂ方向へ回動して初期位置に復帰する。カムプレート２３が復帰することによりワイヤ７の他端部７ｂも初期位置へ復帰し、これによって、図９に示すように、ワイヤ７の緊張が解放される。
【００２９】
なお、ユーザが再び自転車に乗るときに、開錠してロックレバー１６を後ろに蹴り込んでロック解除状態とし、再びスタンド１４を跳ね上げ状態とすると、図５に示すように、ロックレバー１６の係止部２６は、スプリング１７の張力によって再びカムプレート２３の突起部２３ｂと係止する。
【００３０】
以上によって、自転車１は、ユーザが番号入力を行った後、ワイヤ７に引っ張られることなく閂８を速やかに開錠状態とすることができる。これによって、鍵のかけ忘れによる盗難が防止できると共に、ユーザにとっての使い易さを向上できる。
【００３１】
また、ロックレバー１６をロック解除状態からロック状態とするのに伴って、ワイヤ７の緊張が解放される構成とされているため、ロック状態とする動作に連動させてワイヤ７の緊張を解放することができる。従って、特別な動作を行うことなく、通常の駐車時の動作の中でワイヤ７の緊張を解放することができるため、ユーザにとっての使い易さを一層向上できる。
【００３２】
本発明は、上述した実施形態に限定されるものではない。
【００３３】
例えば、本実施形態においては、解放機構が、ロックレバー１６をロック解除状態からロック状態とするのに伴ってワイヤ７の緊張を解放する構成とされているが、これに限られない。具体的には、馬蹄錠３やスタンド１４付近に設けられた押しボタンを押すことによってワイヤ７の緊張を解放するような解放機構を適用してもよい。又は、ユーザがブレーキレバーを左右同時に握り込み、所定のワイヤで牽引してカムを外すことによって、ワイヤ７の緊張を解放するような解放機構を適用してもよい。
【００３４】
また、本実施形態においては、片脚型スタンドを適用しているが、両脚型のスタンドを適用してもよい。
【００３５】
また、本実施形態においては、錠前として番号入力式の馬蹄錠を適用しているが、キー差込式であってもよい。
【図面の簡単な説明】
【００３６】
【図１】本発明の実施形態に係る自転車の斜視図である。
【図２】図１に示す自転車の馬蹄錠を示す拡大斜視図である。
【図３】図１に示す自転車の片脚型スタンド部の拡大斜視図である。
【図４】図３に示す片脚型スタンド部の展開図である。
【図５】図３に示す片脚型スタンド部を車幅方向外側から見た図である。
【図６】スタンドを起立状態としたときの片脚型スタンド部を示す拡大斜視図であり、図３に対応する図である。
【図７】スタンドを起立状態としたときの馬蹄錠を示す拡大斜視図であり、図３に対応する図である。
【図８】ロックレバーをロック状態としたときの片脚型スタンド部を示す拡大斜視図であり、図３に対応する図である。
【図９】ロックレバーをロック状態としたときの馬蹄錠を示す拡大斜視図であり、図３に対応する図である。
【符号の説明】
【００３７】
１…自転車、３…馬蹄錠（錠前）、４…後輪、７…ワイヤ、７ａ…一端部、７ｂ…他端部、８…閂、１０…自転車用施錠システム、１４…スタンド、１６…ロックレバー、１８…自動施錠機構（牽引機構、解放機構）、１９…回動軸、２３…カムプレート、２４…ねじりバネ、２６…係止部、２３ａ…連結部、２３ｂ…突起部、Ａ…所定の方向、Ｂ…反対方向。
【図１】
2009269470.tif 000003
【図２】
2009269470.tif 000004
【図３】
2009269470.tif 000005
【図４】
2009269470.tif 000006
【図５】
2009269470.tif 000007
【図６】
2009269470.tif 000008
【図７】
2009269470.tif 000009
【図８】
2009269470.tif 000010
【図９】
2009269470.tif 000011